【事件の表示】
　特願２００１−１０５６４４「ディスクローディング装置」拒絶査定不服審判事件〔平成１４年１０月１１日出願公開、特開２００２−２９８５４８〕について、次のとおり審決する。
【結　論】
　本件審判の請求は、成り立たない。
【理　由】
第１　手続の経緯
　本願は、平成１３年４月４日の出願であって、平成２０年４月３０日付けで通知した拒絶理由に対し、同年７月７日付けで手続補正がされたが、同年７月２５日付で拒絶査定がされ、これに対し、同年８月２８日に拒絶査定不服審判が請求されるとともに、同年９月１７日付で手続補正がされたものである。
　その後当審において、平成２２年８月２５日付けで、審査官による前置報告書（特許法１６４条３項）を利用した審尋を行ったところ、同年１０月２０日付けで回答書の提出があったものである。
　
　
第２　平成２０年９月１７日付の手続補正についての補正却下の決定
　［補正却下の決定の結論］
　　平成２０年９月１７日付の手続補正を却下する。
　
　[理由]
１．補正の内容
　平成２０年９月１７日付けの手続補正（以下、「本件補正」という。）は、補正前の平成２０年７月７日付手続補正書の特許請求の範囲の請求項１について、
　
（１）補正前に
「メインシャーシと、
　該メインシャーシによって回転自在に保持され、モータによって回転駆動される駆動ギアと、
　前記メインシャーシによって、排出位置と収納位置との間でスライド移動可能に保持され、前記駆動ギアと係合可能な第１のラックを有して選択的に駆動されてディスク載置面を有するトレイと、
　前記メインシャーシによって、前記ディスク載置面の移動平面と平行で、且つ前記トレイの移動方向と直交する方向にスライド可能に保持され、前記駆動ギアと歯合可能な第２のラックを有して選択的に駆動される共に、少なくとも前記移動平面に対して傾斜した傾斜ガイド部を有するカム溝を形成したカムスライダと、
　前記移動平面に平行で且つ前記トレイの移動方向と直交する方向の回動軸を中心に前記メインシャーシに回動自在に保持され、基体に、前記回動軸と略直交する方向に形成されて前記カム溝に係合する係合突起を有し、該係合突起が前記傾斜ガイド部を相対的に移動することによって、前記基体に配設されたターンテーブルが前記ディスク載置面から離間する退避位置と、前記ディスク載置面に載置されるディスクを載置して回転駆動する動作位置との間で回動する再生ユニットと　
を有し、
　前記駆動ギアは、その回転軸が前記移動平面と垂直となるように保持され、前記カムスライダは前記トレイと係合し、該トレイの前記収納位置への移動に伴なって前記第２のラックが前記駆動ギアと歯合する位置まで移動され、前記カムスライダの移動によって、前記係合突起が前記傾斜ガイド部を、前記再生ユニットが動作位置に変位する方向に相対移動する時、前記カムスライダは、少なくとも前記第２のラックのピッチ線と前記駆動ギアのピッチ円とが略接する位置まで移動していることを特徴とするディスクローディング装置。」
とあったものを、
　
（２）本件補正により
「メインシャーシと、
　該メインシャーシによって回転自在に保持され、モータによって回転駆動される駆動ギアと、
　前記メインシャーシによって、排出位置と収納位置との間でスライド移動可能に保持され、前記駆動ギアと係合可能な第１のラックを有して選択的に駆動されてディスク載置面を有するトレイと、
　前記メインシャーシによって、前記ディスク載置面の移動平面と平行で、且つ前記トレイの移動方向と直交する方向にスライド可能に保持され、前記駆動ギアと歯合可能な第２のラックを有して選択的に駆動される共に、少なくとも前記移動平面に対して傾斜した傾斜ガイド部を有するカム溝を形成したカムスライダと、
　前記移動平面に平行で且つ前記トレイの移動方向と直交する方向の回動軸を中心に前記メインシャーシに回動自在に保持され、基体に、前記回動軸と略直交する方向に形成されて前記カム溝に係合する係合突起を有し、該係合突起が前記傾斜ガイド部を相対的に移動することによって、前記基体に配設されたターンテーブルが前記ディスク載置面から離間する退避位置と、前記ディスク載置面に載置されるディスクを載置して回転駆動する動作位置との間で回動する再生ユニットと
　を有し、
　前記駆動ギアは、その回転軸が前記移動平面と垂直となるように保持され、前記カムスライダは前記トレイと係合し、該トレイの前記収納位置への移動に伴なって前記第２のラックが前記駆動ギアと歯合する位置まで移動され、前記カムスライダの移動によって、前記係合突起が前記傾斜ガイド部を、前記再生ユニットが動作位置に変位する方向に相対移動する時、前記カムスライダは、少なくとも前記第２のラックのピッチ線
端部
が接
と補正しようとするものである。
　
　すると、本件補正は、補正前の請求項１に記載された発明を特定するために必要な事項である「ピッチ線」について「ピッチ線端部」と限定し、「略接する」について「接する」と限定するものであるから、平成１８年法律第５５号改正附則第３条第１項によりなお従前の例によるとされる同法による改正前の特許法第１７条の２第４項第２号に掲げる特許請求の範囲の減縮を目的とするものに該当する。
　
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項に規定する要件を満たすか）否かについて、以下に検討する。
　
２．引用例
　原査定の拒絶の理由に引用された特開平８−８３４５８号公報（以下、「引用例」という。）には、ディスクプレイヤのローディング機構について、図面と共に次の事項が記載されている（なお、下線は当審で付した。）
　
（ア）「【０００１】
【産業上の利用分野】本発明はディスクプレイヤに関し、
特にローディング機構により移動されるトレイが装脱位置および読み取り位置に移動した際に、連動してマウントベースをスムーズに移動できるディスクプレイヤ
　
（イ）「【０００３】図１１には、従来のディスクプレーヤの概略図を示す。
ベース１には、マウントベース２の奥側縁２ｂを軸支し
マウントベース２には、ディスクの読み取り位置に移動した際にディスクを回転させるスピンドル２ｓやピックアップ２ｐ等が搭載されている
　
（ウ）「【００１３】
【実施例】以下、本発明に係るディスクプレイヤの好適な実施例を添付図面に基づいて詳細に説明する。図１は内部構造を示す概略的構造説明図である。
図２はディスクのイジェクト状態（装脱位置）
図３はディスクのセット状態
【００１４】まず、構成について説明する。
ディスクプレイヤ１０のケーシング１１内には、ベース１２が設けられ、このベース１２ほぼ中央の開口１２ａにマウントベース１４が配置されている
マウントベース１４は、ケーシング１１の奥側縁で軸支され、前端縁１４ａが揺動可能である
トレイ１８にはディスクを載置可能な載置部１８ａが形成されている。
マウントベース１４には、従来公知の、ディスクを再生するためのスピンドル１５ａやピックアップ１５ｂ等が搭載されている
【００１５】前記
トレイ１８は、ベース１２の両側縁部１２Ａ、１２Ｂに沿って点在するレール片１３・・・にガイドされて進退自在である
、トレイ１８の裏面にはトレイ１８の進退方向にラック２２が設けられ、このラック２２はベース１２のフロント面Ｆに沿ってベース１２上に設けられた歯車列２４の歯車２４ａと噛合している。なお、歯車列２４には、モータ２６から動力が供給されている。
【００１６】上記マウントベース１４の前端縁１４ａと、歯車列２４との間の
ベース１２上には、スライダ２８が配置されている。このスライダ２８は、ベース１２の両側縁１２Ａ、１２Ｂ間をスライド可能である
スライダ２８のイジェクト位置ではマウントベース１４の前端縁１４ａが下降した状態（イジェクト状態）であり（図２参照）、スライダ２８のセット位置ではマウントベース１４の前端縁１４ａが上昇した状態（読み取り位置）である（図３参照）
【００１７】ここで、
スライダ２８の構造
【００１８】第２カム部２８Ｂは、平面直角三角形状の片３０と、この片３０上に設けられた
スライドピン３４と、片３０のマウントベース１４側に開口するカム溝３２とから構成され
カム溝３２は階段状に形成され、側縁部１２Ｂ側が低く、側縁部１２Ａ側が高く形成されている。カム溝３２にはマウントベース１４前端縁１４ａの側縁部１２Ｂ側の角に設けられたピン１６が係合している
【００１９】
スライドピン３４は、トレイ１８の裏面に形成されたカムガイド３６に係合している。このカムガイド３６は、トレイ１８の進退方向に伸びる直線ガイド部３６ａと、トレイ１８の先端側で斜めに曲がる傾斜ガイド部３６ｂと、側縁に至る側方ガイド部３６ｃとからなっている
　
（エ）「【００２１】第１カム２８Ａの上面にはロック溝４０が設けられている。このロック溝４０は、トレイ１８が装脱位置から読み取り位置まで移動する際の、トレイ１８がある程度動き始めるまでの移動初期のスライダ２８の移動を防止するために、トレイ１８下面に設けられたロック条４２が係合している。一方、第１カム部２８Ａのフロント面Ｆ側には、ラック４４が形成されている。
このラック４４は、スライダ２８がイジェクト状態にあるときには、歯車列２４の歯車２４ａに噛合していない状態である（図１の状態参照）
【００２２】なお、
スライダ２８は両側縁１２Ａ、１２Ｂ間をスライドする自在であるが、スライダ２８はベース１２に対しガイド手段（図示せず）によりガイドされている
【００２３】次に、動作とともに、さらに詳しい構造について説明する。図１の状態で、トレイ１８の載置部１８ａにディスクを載せ、スイッチを入れると、
モータ２６が駆動して歯車列２４が駆動する。すると、歯車２４ａがトレイ１８裏面のラック２２を介してトレイ１８が後退する
スライドピン３４はカムガイド３６に係合しており、スライドピン３４がカムガイド３６の直線ガイド部３６ａにガイドされ、スライダ２８は移動することがない
【００２４】さらに、
トレイ１８が後退し、スライドピン３４がカムガイド３６の傾斜ガイド部３６ｂに到達した際に、傾斜ガイド部３６ｂに沿ってスライダ２８が側方に移動を開始する（図７参照）
スライドピン３４がカムガイド３６の傾斜ガイド部３６ｂの中途部に達した際に、スライダ２８のラック４４と歯車２４ａが噛合し、トレイ１８裏面のラック２２と歯車２４ａとの噛合が外れる（図８参照）。
ラック２２とラック４４とが直交している
【００２５】
続いて、歯車２４ａの回転に伴ってスライダ２８が移動し、スライドピン３４がカムガイド３６の傾斜ガイド部３６ｂと側方ガイド部３６ｃとの境界に到達するとスライダ２８が僅かに移動し、トレイ１８の進退方向の動きが規制されセット位置となる（図９参照）。さらに、スライダ２８が移動すると、スライダ２８の第２カム部２８Ｂのカム溝３２に沿ってマウントベース１４の前端縁１４ａのピン１６が上昇し、マウントベース１４前端縁１４ａの側縁部１２Ｂ側の角を上昇させる
【００２６】そして、
トレイ１８に載置されているディスクにスピンドル１５ａが嵌合してセット状態となる
　
（オ）「【００３１】
【発明の効果】本発明に係るディスクプレイヤは上述するように構成され、マウントベースの先端縁の両角部または中央で支持するため、確実にマウントベースの上下動が可能である。また、
トレイの動きに連動してスライダを移動させるとともに、トレイを動かす歯車列に連動してスライダを動かすことにより、マウントベースを確実に移動することができる
【００３２】
トレイのラックに噛合してトレイを移動する歯車列の歯車が、スライダのラックにも噛合してスライダを移動するための、歯車を共通とすることができ
　
　上記（ア）ないし（オ）に記載された実施例によれば、引用例1には次の発明（以下、「引用例１発明」という。）が記載されている。
「ケーシング内に設けられたベースと、
　ベース上に設けられ、モータからの動力が供給される歯車列の歯車と、
　ベースの両側縁部に沿って装脱位置と読み取り位置との間に進退自在にガイドされ、歯車列の歯車と噛合するラックとカムガイドとを有し、ディスク載置部が形成されたトレイと、
　ベース上に配置され、ベースの一方の側縁部と他方の側縁部の間でスライドし、歯車列の歯車に噛合うラックと、一方の側縁部側が低く他方の側縁側部側が高く形成された階段状のカム溝と、スライドピンとを有するスライダと、
　ベースのほぼ中央の開口に配置され、ディスクを再生するためのスピンドルやピックアップ等が搭載されているマウントベースと、を有し、
　前記マウントベースは、前端縁が揺動可能にケーシングの奥側縁で軸支され、スライダの階段状のカム溝と係合しているピンが前端縁に設けられ、ピンがスライダのカム溝に沿って上昇して前端縁が下降した状態から前端縁が上昇した状態となり、前端縁が上昇した状態ではトレイに載置されているディスクに搭載しているスピンドルが嵌合し、
　前記歯車列の歯車はベースに沿って設けられ、モータが駆動して歯車列が駆動すると、歯車はトレイを後退させて、スライダのスライドピンがトレイのカムガイドの直線ガイド部に係合して移動していないスライダを、スライダのスライドピンがトレイのカムガイドの傾斜ガイド部に到達した際に、側方に移動を開始させ、
　さらにトレイが後退して、スライドピンがトレイのカムガイドの傾斜ガイド部の中途部に達した際に、スライダのラックと歯車列の歯車とは噛合し、
　歯車の回転に伴ってスライダが移動させられ、スライドピンがトレイのカムガイドの傾斜ガイド部と側方ガイド部との境界に到達すると、トレイの進退方向の動きは規制され、
　さらに、スライダが移動すると、スライダのカム溝に沿ってマウントベースの前端縁のピンが上昇し、マウントベースの前端縁が上昇した状態にさせられるディスクローディング機構。」
　
３．対比
　引用例発明と本願補正発明を対比する。
ａ．引用例発明の「ベース」は、モータ、歯車列、トレイ等ディスクローディング装置の主要な構成要素を、その上に保持する構造体である点において、本願補正発明の「メインシャーシ」に相当する。
　
ｂ．引用例発明の「歯車列の歯車」は、ラックと噛合うものであるから、本願補正発明の「駆動ギア」に相当する。したがって、引用例発明の「ベース上に設けられ、モータからの動力が供給される歯車列の歯車」は、本願補正発明の「メインシャーシによって回転自在に保持され、モータによって回転駆動される駆動ギア」に相当する。
　　　　　　　　　　　　
ｃ．引用例発明と本願補正発明とで共通する「トレイ」について比較すると、引用例発明の「挿脱位置」及び「読み取り位置」は、それぞれ本願補正発明の「排出位置」及び「収納位置」に相当するから、引用例発明の「トレイ」が「ベースの両側縁部に沿って装脱位置と読み取り位置との間に進退自在にガイドされ」ることは、本願補正発明の「トレイ」が「メインシャーシによって、排出位置と収納位置との間でスライド移動可能に保持され」ることに相当する。また、引用例発明の「トレイ」の「裏面には歯車列の歯車と噛合するラックが進退方向に設けられ」「モータが駆動して歯車列が駆動すると、歯車はトレイを後退させて」「さらにトレイが後退して、スライドピンがトレイのカムガイドの傾斜ガイド部の中途部に達した際に、スライダのラックと歯車列の歯車とは噛合し、トレイ裏面のラックと歯車との噛合が外れる」との特定を総合すると、本願補正発明の「前記駆動ギアと係合可能な第１のラックを有して選択的に駆動され」ることに相当する。引用例発明の「ディスク載置部が形成された」ことは、本願補正発明の「ディスク載置面を有する」ことに相当する。
　引用例発明の「挿脱位置」「読み取り位置」「ディスク載置部」は、本願補正発明の「排出位置」「収納位置」「ディスク載置面」に相当する。
　
ｄ．次に、引用例発明の「スライダ」と本願補正発明の「カムスライダ」とを比較する。
　引用例発明の「スライダ」は、「ベース上に配置され、ベースの一方の側縁部と他方の側縁部の間でスライドし」と特定されるところ、スライダピンがトレイの裏面に設けられたカムガイドにガイドされて、あるいは、スライダのラックが歯車と歯合して、「側方に移動」するものであるから、スライダの移動方向は、ディスクの載置面に平行で、トレイの移動する方向とは直交する方向であることが明らかで、本願補正発明の「前記メインシャーシによって、前記ディスク載置面の移動平面と平行で、且つ前記トレイの移動方向と直交する方向にスライド可能に保持され」との要件を備えている。また、引用例発明の「スライダ」は、「歯車列の歯車に噛合うラック」を有しており、「トレイが後退して、スライドピンがトレイのカムガイドの傾斜ガイド部の中途部に達した際に、スライダのラックと歯車列の歯車とは噛合」して更に駆動されるので、本願補正発明の「前記駆動ギアと歯合可能な第２のラックを有して選択的に駆動される」との要件を備えている。さらに、引用例発明の「スライダ」は、「一方の側縁部側が低く他方の側縁側部側が高く形成された階段状のカム溝」を有しているので、本願補正発明の「少なくとも前記移動平面に対して傾斜した傾斜ガイド部を有するカム溝を形成した」との要件を備えている。したがって、引用例発明の「スライダ」は、本願補正発明の「前記メインシャーシによって、前記ディスク載置面の移動平面と平行で、且つ前記トレイの移動方向と直交する方向にスライド可能に保持され、前記駆動ギアと歯合可能な第２のラックを有して選択的に駆動される共に、少なくとも前記移動平面に対して傾斜した傾斜ガイド部を有するカム溝を形成したカムスライダ」に相当する。
　
ｅ．引用例発明の「マウントベース」は、「ディスクを再生するためスピンドルやピックアップ等が搭載されている」ものであるから本願補正発明の「再生ユニット」と比較する。
　引用例発明の「マウントベース」が「前端縁が揺動可能にケーシングの奥側縁で軸支され」と特定されるところ、前記「軸支」は、装置の左右方向に伸びる軸によることが図１等により明らかであるから、本願補正発明の「前記移動平面に平行で且つ前記トレイの移動方向と直交する方向の回動軸を中心に」「回動自在に保持され」ていることに相当する。
　引用例発明の「マウントベース」に「スライダの階段状のカム溝と係合しているピンが前端縁に設けられ」ていることは、本願補正発明の「再生ユニット」の「基体に、前記回動軸と略直交する方向に形成されて前記カム溝に係合する係合突起を有し」との要件に相当し、に相当し、引用例発明の「スライダの階段状のカム溝と係合しているピンが前端縁に設けられ」は、本願補正発明の「基体に、回動軸と略直交する方向に形成されてカム溝に係合する係合突起を有し」たことに相当する。
　引用例発明の「マウントベース」が「前記ピンがスライダのカム溝に沿って上昇して前端縁が下降した状態から前端縁が上昇した状態となり、前端縁が上昇した状態ではトレイに載置されているディスクに搭載しているスピンドルが嵌合」する点は、本願補正発明の「再生ユニット」が、「該係合突起が前記傾斜ガイド部を相対的に移動することによって、前記基体に配設されたターンテーブルが前記ディスク載置面から離間する退避位置と、前記ディスク載置面に載置されるディスクを載置して回転駆動する動作位置との間で回動する」ことに相当する。
　
ｆ．引用例発明の「歯車列の歯車はベースに沿って設けられ」た「歯車列の歯車」は、直交しているトレイとスライダのラックに噛合うことから、歯車の回転軸はトレイの載置部とスライダの移動平面に垂直であることは明らかであり、本願補正発明の「駆動ギアは、その回転軸が移動平面と垂直となるように保持され」た構成に相当する。
　引用例発明の「モータが駆動して歯車列が駆動すると、歯車はトレイを後退させて、スライダのスライドピンはトレイのカムガイドの直線ガイド部に係合して移動していないスライダを、スライダのスライドピンがトレイのカムガイドの傾斜ガイド部に到達した際に、側方に移動を開始させ」ているときは、スライダとトレイは係合していることから、本願補正発明の「カムスライダはトレイと係合し」に相当する。
　引用例発明の「さらにトレイが後退して、スライドピンがトレイのカムガイドの傾斜ガイド部の中途部に達した際に、スライダのラックと歯車列の歯車とは噛合し」は、トレイの後退に伴って、スライダのラックが歯車列の歯車と噛合うように移動されていることから、本願補正発明の「トレイの収納位置への移動に伴なって第２のラックが駆動ギアと歯合する位置まで移動され」に相当する。
　引用例発明の「さらに、スライダが移動すると、スライダのカム溝に沿ってマウントベースの前端縁のピンが上昇し、マウントベースの前端縁が上昇した状態」は、スライダがスライドして、スライダの階段条カム溝の傾斜部をユニットベースのピンが上昇することにより、読み取り位置にあるトレイのディスクにスピンドルが嵌合するようにユニットベースの前端縁が上昇する時であり、本願補正発明の「カムスライダの移動によって、係合突起が前記傾斜ガイド部を、再生ユニットが動作位置に変位する方向に相対移動する」に相当する。
　引用例発明では、「さらにトレイが後退して、スライドピンがトレイのカムガイドの傾斜ガイド部の中途部に達した際に、スライダのラックと歯車列の歯車とは噛合し」、
「車の回転に伴ってスライダが移動させられ、スライドピンがトレイのカムガイドの傾斜ガイド部と側方ガイド部との境界に到達すると」その後に、
「さらに、スライダが移動すると、スライダのカム溝に沿ってマウントベースの前端縁のピンが上昇」する、との順で動作することからすると、
　遅くとも、マウントベースの前端縁のピンが上昇する時までには、カムスライダは、スライダのラックと歯車とが噛合する位置まで移動しているということができるものである。
　
ｇ．引用例発明の「ディスクローディング機構」は、本願補正発明の「ディスクローディング装置」に相当する。
　　
　以上のことからすると、引用例発明と本願補正発明は、次の点で一致する。
「メインシャーシと、
　該メインシャーシによって回転自在に保持され、モータによって回転駆動される駆動ギアと、
　前記メインシャーシによって、排出位置と収納位置との間でスライド移動可能に保持され、前記駆動ギアと係合可能な第１のラックを有して選択的に駆動されてディスク載置面を有するトレイと、
　前記メインシャーシによって、前記ディスク載置面の移動平面と平行で、且つ前記トレイの移動方向と直交する方向にスライド可能に保持され、前記駆動ギアと歯合可能な第２のラックを有して選択的に駆動される共に、少なくとも前記移動平面に対して傾斜した傾斜ガイド部を有するカム溝を形成したカムスライダと、
　前記移動平面に平行で且つ前記トレイの移動方向と直交する方向の回動軸を中心に回動自在に保持され、基体に、前記回動軸と略直交する方向に形成されて前記カム溝に係合する係合突起を有し、該係合突起が前記傾斜ガイド部を相対的に移動することによって、前記基体に配設されたターンテーブルが前記ディスク載置面から離間する退避位置と、前記ディスク載置面に載置されるディスクを載置して回転駆動する動作位置との間で回動する再生ユニットと
　を有し、
　前記駆動ギアは、その回転軸が前記移動平面と垂直となるように保持され、前記カムスライダは前記トレイと係合し、該トレイの前記収納位置への移動に伴なって前記第２のラックが前記駆動ギアと歯合する位置まで移動され、前記カムスライダの移動によって、前記係合突起が前記傾斜ガイド部を、前記再生ユニットが動作位置に変位する方向に相対移動する
　ディスクローディング装置。」
　
　一方、次の点で相違する。
（相違点１）　
　本願補正発明では、再生ユニットを「メインシャーシ」に保持する、と特定するのに対して、引用例発明では、マウントベースは、「ケーシング」に軸支される点。
　
（相違点２）
　本願補正発明では、カムスライダの移動によって、係合突起が傾斜ガイド部を、再生ユニットが動作位置に変位する方向に相対移動する時、「前記カムスライダは、少なくとも前記第２のラックのピッチ線端部と前記駆動ギアのピッチ円とが接する位置まで移動している」と特定しているのに対し、引用例発明では、スライダの移動によってピンがカム溝をマウントベースが上昇した状態に移動するとき、スライダが、スライダのラックのピッチ線端部と、歯車のピッチ円とが接する位置まで移動しているとの特定がない点。
　
４．判断
（相違点１について）
　引用例発明では、マウントベース（本願補正発明の「再生ユニット」に相当。）はベース（メインシャーシ）のほぼ中央の開口に配置されるものであり、引用例の上記「イ．」の従来例例には、マウントベース（再生ユニット）をベース（メインシャーシ）に軸支することが記載されており、いずれに軸支するかで、ディスクローディング装置としての機能、動作とｕｎｉｔ後段の影響を及ぼすものでもない。
　してみれば、引用例発明において、マウントベース（再生ユニット）をベース（メインシャーシ）に保持するように構成することは、当業者が適宜に選択できる設計事項にすぎないものである。
　
（相違点２について）
　上記対比のｆ．で明らかにしたように、引用例発明では、マウントベースの前端縁のピンが上昇する時には、スライダは、スライダのラックと歯車とが噛合する位置まで移動しているということができる。歯車同士が噛み合う場合に、互いのピッチ円が、接する状態となるように設定することは、機構学上の常識であって、ラックとピニオンが噛み合う場合にはラックのピッチ線と歯車（ピニオン）のピッチ円とが接する状態となることは当然である。すると、引用例には、文言上の明記がなくとも、マウントベースの前端縁のピンが上昇する時には、スライダは、少なくともスライダのラックと歯車とが噛合する位置まで移動しているのであるから、当該時には、ラックのピッチ線と歯車のピッチ円とが接する位置まで移動していると解することができるか、たとえ、ラックのピッチ線と歯車のピッチ円との位置関係が一義的に決まらないとしても、ラックと歯車が噛み合っている状態において、ラックのピッチ線と歯車のピッチ円とが接する状態に両者の位置関係を設定することは機構設計上普通の設定であるから、当業者が適宜設定しうることにすぎない。
　
　なお、請求人は、請求の理由において、参考図１及び２を示し、「引用文献１においては、スライダピン３４がカムガイド３６の側方ガイド部３６ｃを移動してマウントベースが上昇する段階で、スライダ２８（本願のカムスライダに相当）のラック４４（本願の第２のラックに相当）のピッチ線と、これを駆動する歯車２４ａ（本願の駆動ギアに相当）のピッチ円とが接しているか否か、即ち本願に対応させた場合、前記参考図１の状態にあるか、或いは参考図２の状態にあるかは不明」と主張しているが、前記対比のｆ．で示したように、引用例発明では、スライダのラックと歯車列の歯車とはスライドピンがトレイのカムガイドの傾斜ガイド部の中途部に達した際に噛合すると特定され、その後、歯車の回転に伴ってスライダが移動させられ、スライドピンがトレイのカムガイドの傾斜ガイド部と側方ガイド部との境界に到達し、その後、「さらに、スライダが移動すると、スライダのカム溝に沿ってマウントベースの前端縁のピンが上昇」するとの順で動作するのであるから、前記一連の動作の最後の段階では、少なくとも参考図２のような状態にあるとは到底認めることができない。
　同様に、請求人は、回答書において参考図１ないし４を示し、「引用文献１では、上記参考図３に相当する段階でマウントベース１４の上昇が開始するのか、上記参考図４に相当する段階以降でマウントベースの上昇が開始するのか不明である」と主張しているが、そもそもこれら参考図は引用例の記載を正しく反映していない。参考図２では駆動ギアと第２のラックが離れて示されているが、引用例発明では、スライダのラックと歯車列の歯車とはスライドピンがトレイのカムガイドの傾斜ガイド部の中途部に達した際に噛合すると特定されているのであるから、少なくともこの時点で駆動ギアと第２のラックは噛み合っていなければならない。したがって、それ以後の参考図３及び４における駆動ギアと第２のラックとの位置関係も正確とはいえず、主張の前提が成り立たないものである。歯車の回転に伴ってスライダが移動させられ、スライドピンがトレイのカムガイドの傾斜ガイド部と側方ガイド部との境界に到達するのであるから、参考図３の段階では、明らかに駆動ギヤと第２のラックとは明確に噛み合っているはずである。そして、その後、さらに、スライダが移動すると、スライダのカム溝に沿ってマウントベースの前端縁のピンが上昇するのであるから、参考図３以降の段階でマウントベース１４の上昇が開始することが明らかで、その時には、さらに、駆動ギヤと第２のラックとは明確に噛み合っているはずである。
　そして、前述したように、ラックとピニオン（歯車）が噛み合っている状態では、「ラックのピッチ線と歯車のピッチ円とが接する」状態はごく普通のことであるから、機構学上の常識も考慮すると、引用例発明においても、「前記再生ユニットが動作位置に変位する方向に相対移動する時、前記カムスライダは、少なくとも前記第２のラックのピッチ線端部と前記駆動ギアのピッチ円とが接する位置まで移動している」と解することができるか、たとえ一義的にそのように解することができないとしても、傾斜ガイドの中途部で噛合してからマウントベースの前端部が上昇するまでにスライダが所定量移動する位置関係となっていることからすると、そのような設定は当業者が適宜なし得る程度のことにすぎない。
　したがって、請求人の主張は採用することができない。
　
　そして、上記各相違点を総合しても、本願補正発明の作用効果は、引用例から当業者が十分予測しうる範囲のもので、格別のものではない。
　
　以上のとおりであるから、本願補正発明は、引用例に記載された発明に基づいて、当業者が容易に発明をすることができたものであって、特許法２９条２項の規定により特許出願の際独立して特許を受けることができないものである。
　
５．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３　本願発明について
　平成２０年９月１７日付の手続補正は上記のとおり却下されたので、本願の請求項１に係る発明（以下、「本願発明」という。）は、前記「第２　［理由］　１．　１）」に、本件補正前の特許請求の範囲の請求項１として記載したとおりのものである。
　
１．引用例
　原査定の拒絶の理由で引用された引用例及びその記載事項は、前記「第２　２．」に記載したとおりである。
　
２．対比・判断
　本願発明は、前記「第２」で検討した本願補正発明の発明特定事項である「ピッチ線端部」について「端部」との限定を省き、「接する」について「略接する」とするものである。
　
　そうすると、本願発明の特定事項をすべて含み、さらに他の特定事項を付加したものに相当する本願補正発明が、引用例に基づいて当業者が容易に発明をすることができたものであるから、本願発明も同様の理由により、引用例に基づいて当業者が容易に発明をすることができたものである。
　
３．むすび
　以上のとおり、本願発明は、引用例に記載された発明に基づいて当業者が容易に発明をすることができたものであるから、特許法２９条２項の規定により特許を受けることができない。
　したがって、本願は、その余の請求項について論及するまでもなく、拒絶すべきものである。
　よって、結論のとおり審決する。